(57)【特許請求の範囲】
【請求項１】
頭部と、当該頭部に下設された軸部と、当該軸部の一部に突設されたリブと、を有するピンと、
前記ピンが挿入される挿入孔を形成する略筒形の脚部と、当該脚部の上方側外周に突設された鍔部と、前記脚部に設けられ前記脚部の下方側端から前記鍔部の下面付近まで延びている複数のスリットと、を有するグロメットと、
を備え、
前記ピンが前記挿入孔へ挿入される際に前記リブが前記スリットへ入り込むことに伴って、前記グロメットは前記ピンを抜け止め状態に保持可能であり、
前記ピンが前記挿入孔へ更に圧入される際に前記スリットが拡開することに伴って、前記脚部を前記鍔部に向けて湾曲変形可能である
というクリップにおいて、
前記脚部の内周面において、前記スリットの周方向両側に連続して、前記リブを当該スリットに案内するためのガイド斜面が形成されており、
前記ガイド斜面の下端は、前記スリットの上端よりも下方に位置する
ことを特徴とするクリップ。
【請求項２】
前記グロメットは、前記挿入孔の入口側孔縁部であって周方向に隣接するスリット同士の間の領域に、前記スリットに向かって傾斜する導入側斜面を有する
ことを特徴とする請求項１に記載のクリップ。
【請求項３】
隣接するガイド斜面同士は、突部を形成している
ことを特徴とする請求項１または２に記載のクリップ。
【請求項４】
前記突部の先端は、円弧状に形成されている
ことを特徴とする請求項３に記載のクリップ。
【発明の詳細な説明】
【技術分野】
【０００１】
本発明は、グロメット及びピンからなるクリップに関し、特にグロメットに対するピンの仮組み付け又は本止め構造との関係でピンのグロメット側挿入孔への挿入位置が規制されるタイプに関する。
【背景技術】
【０００２】
対象のクリップは、特許文献１に開示されているごとく、少なくとも一部に非円形の断面を持つピンと、該ピンが挿入可能な挿入孔を有したグロメットと、からなる。グロメットが挿入孔へのピンの挿入によって拡開することで、本止め状態となる。
【０００３】
詳述すれば、ピンは、頭部と、当該頭部に下設された軸部と、当該軸部の一部に突設されたリブと、を有しており、グロメットは、前記ピンが挿入される下方側に向けて先細状の挿入孔を形成する略筒形の脚部と、当該脚部の上方側外周に突設された鍔部と、前記脚部に設けられ前記脚部の下方側端から前記鍔部の下面付近まで延びている複数のスリットと、を有している。
【０００４】
そして、ピンが挿入孔へ挿入される際に前記リブが前記スリットへ入り込むことに伴って、グロメットはピンを抜け止め状態に保持（仮組み付け）可能である。また、ピンが挿入孔の先細状の部分へ更に圧入される際に前記スリットが拡開することに伴って、前記脚部を前記鍔部に向けて湾曲変形可能である。
【０００５】
以上のクリップは、例えば板部材同士を結合する場合、仮組み付け状態で各板部材の取付孔へ挿入される。そして、ピンの押操作（圧入）によって前記スリットが拡開することに伴って、脚部が鍔部に向けて湾曲変形する。これにより、鍔部と脚部の変形部分との間で、板部材同士が締結ないし挟持される。
【０００６】
以上のクリップは、ピン及びグロメットが別体のままだと取り扱いが煩わしいため、製造後（成形後）にピンをグロメットに仮組み付けして、当該仮組み付け状態で、搬送され、管理され、更には当該クリップを使用する各種組立ラインに投入されることが好ましい。
【０００７】
仮組み付け作業は、自動組立機で行われることが多い。自動組立機では、例えば、グロメットが自動組立機の把持手段に保持された後、グロメットの挿入孔に対してピンがロボットハンドを介して位置合わせを伴って移動されて、ピンのリブがスリットに入り込む。
【０００８】
ここで、自動組立機による仮組み付け作業は、効率的ではあるが、ピンとグロメットとの位置合わせ、つまり、グロメットのスリットとピンのリブとの位置合わせ、にズレが生じると、ピンが仮組み付けされないだけではなく、リブが損傷したり、自動組立機が停止して作業効率を悪化させる原因となる。
【０００９】
このような問題を解消するため、本件出願人による特許文献２に開示されたクリップでは、グロメットの挿入孔の入口側孔縁部に斜面（リブ案内面）が設けられて、ピンのリブが正規位置からズレて挿入孔の入口側孔縁部に当接した際に、当該斜面によってピンのリブが正規位置へと導かれるようになっている。すなわち、特許文献２に開示されたクリップによれば、ピンのリブの挿入位置が多少ズレていても、前記斜面の誘い込み作用によりピンのリブを正規位置へ導くことができる。このため、ピンのリブの位置合わせを省略したり、緩和したりすることができ、それによって仮組み付けの作業性を向上させることができる。
【先行技術文献】
【特許文献】
【００１０】
【特許文献１】特許第４０６７３４１号公報
【特許文献２】特開２０１０−７６８７号公報
【発明の開示】
【発明が解決しようとする課題】
【００１１】
しかしながら、特許文献２に開示されたクリップでは、グロメットの挿入孔の入口側孔縁部に設けられた斜面の下端が、グロメットのスリットにまで連続して形成されていない。このため、ピンのリブをスリットに嵌合させるまで完全に導くことができず、例えばピンの押操作（圧入）によってリブが斜面の下端からスリットまで移動する間に、ピンがその軸線周りに回転してしまうことがある。この場合、リブは、スリットに適正に嵌合されない。このため、依然として、リブが損傷したり、自動組立機が停止して作業効率が悪化したりする。
【００１２】
本発明の目的は、以上のような問題を解消して、ピンをグロメットの挿入孔に挿入するとき、手作業による挿入性を向上したり、上述した自動組立機による挿入時の位置合わせに失敗した場合でも損傷の虞をなくし、ピン或いはグロメットの移動を伴って正規位置へ確実に修正して仮組み付け作業効率を向上することにある。
【課題を解決するための手段】
【００１３】
本発明は、頭部と、当該頭部に下設された軸部と、当該軸部の一部に突設されたリブと、を有するピンと、前記ピンが挿入される下方側に向けて先細状の挿入孔を形成する略筒形の脚部と、当該脚部の上方側外周に突設された鍔部と、前記脚部に設けられ前記脚部の下方側端から前記鍔部の下面付近まで延びている複数のスリットと、を有するグロメットと、を備え、前記ピンが前記挿入孔へ挿入される際に前記リブが前記スリットへ入り込むことに伴って、前記グロメットは前記ピンを抜け止め状態に保持可能であり、前記ピンが前記挿入孔の先細状の部分へ更に圧入される際に前記スリットが拡開することに伴って、前記脚部を前記鍔部に向けて湾曲変形可能であるというクリップにおいて、前記脚部の内周面において、前記スリットの周方向両側に連続して、前記リブを当該スリットに案内するためのガイド斜面が形成されていることを特徴とするクリップである。
【００１４】
本発明によれば、脚部の内周面において、スリットの周方向両側に連続してリブを当該スリットに案内するためのガイド斜面が形成されていることにより、当該スリットに対してリブがズレて挿入された場合であっても、前記ガイド斜面によって、当該リブをスリット（正規位置）まで確実に案内することができる。
【００１５】
好ましくは、前記グロメットは、前記挿入孔の入口側孔縁部であって周方向に隣接するスリット同士の間の領域に、前記スリットに向かって傾斜する導入側斜面を有する。この場合、ピンの挿入時にスリットに対してリブがズレて挿入された場合でも、導入側斜面の誘い込み作用によって、広い範囲にわたって、当該リブをスリット（正規位置）まで確実かつスムーズに案内することができる。
【００１６】
また、好ましくは、隣接するガイド斜面同士は、突部を形成している。この場合、当該スリットに対してリブがズレて挿入された場合であっても、突部を形成する隣接するガイド斜面のいずれか一方によって必ずリブが案内されるため、リブをスリット（正規位置）まで確実に案内することができる。
【００１７】
この場合、更に好ましくは、前記突部の先端は、円弧状に形成されている。この場合、リブをより円滑にガイド斜面に導くことができ、リブに対するガイド性を向上させることができる。
【００１８】
また、好ましくは、前記ガイド斜面の下端は、前記スリットの上端よりも下方に位置する。この場合、リブがスリットの上端に嵌合しない場合でも、リブをスリット（正規位置）まで確実に案内することができる。
【発明の効果】
【００１９】
本発明によれば、脚部の内周面において、スリットの周方向両側に連続してリブを当該スリットに案内するためのガイド斜面が形成されていることにより、当該スリットに対してリブがズレて挿入された場合であっても、前記ガイド斜面によって、当該リブをスリット（正規位置）まで確実に案内することができる。
【図面の簡単な説明】
【００２０】
【図１】本発明の一実施の形態のクリップの仮組み付け後の概略斜視図である。
【図２】本発明の一実施の形態のクリップの仮組み付け前の概略斜視図である。
【図３】図１及び図２のクリップのピンを示す概略斜視図である。
【図４】図３のピンの概略正面図である。
【図５】図３のピンの概略側面図である。
【図６】図１乃至図５のピンの概略平面図である。
【図７】図６のＣ−Ｃ線断面図である。
【図８】図１及び図２のクリップのグロメットを示す概略底面図である。
【図９】図８のＡ−Ａ線断面図である。
【発明を実施するための形態】
【００２１】
以下に、添付の図面を参照して、本発明の実施の形態を詳細に説明する。
【００２２】
図１は、本発明の一実施の形態のクリップ１００の仮組み付け後の概略斜視図であり、図２は、当該クリップの仮組み付け前の概略斜視図である。図１及び図２に示すように、クリップ１００は、少なくとも一部に非円形の断面を有するピン１０と、当該ピン１０が挿入可能な挿入孔２１を有するグロメット２０と、を備えている。
【００２３】
図３は、図１及び図２のクリップ１００のピン１０を示す概略斜視図である。図４は、図３のピン１０の概略正面図であり、図５は、図３のピン１０の概略側面図である。図３乃至図５に示すように、ピン１０は、頭部１１と、当該頭部１１に下設された軸部１２と、当該軸部１２の一部に突設されたリブ１３と、を有している。
【００２４】
頭部１１は、略円形状の上面を有している。軸部１２は、頭部１１の下面から下設されており、当該軸部１２の下端近傍の周囲にリブ１３が突設されている。リブ１３の少し上方の軸部１２の周囲には、本止め用の溝部１４が設けられている。軸部１２の下端側は、少し先細状となっている。
【００２５】
リブ１３は、図４に示されるように、軸部１２の周囲を等分した箇所、本例では１８０°変位した２箇所、に設けられている。リブ１３は、下方から上方に向かうに従って次第に張出量を大きくした形状であり、後述するように、ピン１０をグロメット２０に仮組み付け可能にする箇所である。溝部１４は、軸部１２の周囲の少なくとも一部を、ピン１０の軸方向に沿って段差を有するように陥没させた形状であり、ピン１０をグロメット２０に本止め可能にする箇所である。ピン１０は、例えば合成樹脂による射出成形法によって製造される。その他、図６は、図１乃至図５のピン１０の概略平面図であり、図７は、図６のＣ−Ｃ線断面図である。
【００２６】
グロメット２０は、ピン１０が挿入される下方側に向けて先細状の挿入孔２１を形成する略筒形の脚部２２と、当該脚部２２の上方側外周に突設された鍔部２３と、脚部２２に設けられ当該脚部２２の下方側端から鍔部２３の下面付近まで延びている複数のスリット２４と、を有している。
【００２７】
本実施の形態では、脚部２２は、４つのスリット２４を介して等間隔に（均等に）設けられていて軸方向へそれぞれ延在している４つの脚片を有している。脚部２２は、ピン１０が挿入される方向である下方側に向けて先細状の領域を有しており、挿入孔２１内にあって当該挿入孔２１の直径が最小となる位置において更に内方側に突出する爪部２５を有している。
【００２８】
図８は、図１及び図２のクリップ１００のグロメット２０の概略底面図であり、図９は、図８のＡ−Ａ線断面図である。
【００２９】
本実施の形態では、図９に示されるように、脚部２２の内周面において、スリット２４の周方向両側に連続して、リブ１３を当該スリット２４に案内するためのガイド斜面２６が形成されている。
【００３０】
本実施の形態では、隣接するガイド斜面２６同士が出会う箇所において略三角形状の突部２７が形成されており、結果的に、２個のガイド斜面２６が隣接するスリット２４間の全域に連続的に延在している。また、当該突部２７の先端（上端）２７ａは、円弧状に形成されている。
【００３１】
また、ガイド斜面２６の下端は、スリット２４の上端２４ａよりも下方に位置している。  また、グロメット２０は、ピン１０のリブ１３がスリット２４（正規位置）からズレて挿入孔２１の入口側孔縁部２１ａに当接した際に、リブ１３を正規位置に修正して挿入孔２１の孔内へと案内する導入側斜面２８を有している。この導入側斜面２８は、スリット２４同士の間に区画されている脚部２２の各脚片の上方内面の入口側孔縁部２１ａに設けられており、当該脚片の両側にあるスリット２４同士の略中間位置に対応した箇所から両側のスリット２４に向かって低く傾斜した形状となっている。すなわち、本実施の形態の導入側斜面２８は、ガイド斜面２６と同様に、挿入孔２１の入口側孔縁部２１ａにおいて、スリット２４同士の間に区画されている各脚片の上方内面に２個づつ設けられており、合計８個構成されている。グロメット２０も、例えば合成樹脂による射出成形法によって製造される。
【００３２】
次に、以上のような本実施の形態の作用について説明する。
【００３３】
前述の通り、各別に製造されたピン１０及びグロメット２０が、例えば自動組立機を使用して仮組み付けされる。この際に、グロメット２０が自動組立機の本体側把持手段に回動自在に保持され、一方、ピン１０の頭部１１が自動組立機のロボットハンドに保持される。その後、グロメット２０の挿入孔２１に対して、ピン１０がロボットハンドを介して位置合わせを伴って移動される。これにより、各リブ１３が対応するスリット２４に入り込む。
【００３４】
ここで、ロボットハンドを介しての位置合わせを伴ってのピン１０の移動の際に、ピン１０の保持角度や保持位置が、何らかの原因でスリット２４（正規位置）からズレてしまうことがある。
【００３５】
このように、ピン１０がスリット２４（正規位置）からズレてグロメット２０の挿入孔２１に挿入された場合には、ピン１０のリブ１３は、グロメット２０の挿入孔２１の入口側孔縁部２１ａに形成された導入側斜面２８に当接する。そして、リブ１３は、ピン１０を挿入させる力に起因して当該リブ１３を導入側斜面２８の高い側から低い側に向けて移動（ピン１０をその軸線回りにグロメット２０に対して相対的に回動）させるという当該導入側斜面２８の誘い込み作用を受けて、スリット２４（正規位置）まで案内される。
【００３６】
しかしながら、ピン１０の更なる挿入に伴ってリブ１３が導入側斜面２８の下端からスリット２４まで移動する間に、例えばピン１０が何らかの原因でその軸線周りに回動して、リブ１３がスリット２４（正規位置）から再びズレてしまうことがある。
【００３７】
このような場合に、リブ１３は、ピン１０の挿入に伴って隣接するスリット２４間の各領域の全域に連続的に延在している２つのガイド斜面２６のいずれか一方に当接する。これらのガイド斜面２６の下端は、いずれもスリット２４の上端２４ａよりも下方に位置している。このため、ガイド斜面２６に当接したリブ１３は、当該ガイド斜面２６の誘い込み作用を受けて、ピン１０の更なる挿入に伴って確実にスリット２４まで案内される。
【００３８】
もし仮に、隣接する２つのガイド斜面２６同士が出会う箇所にリブ１３が当接した場合でも、当該箇所に形成された先端２７ａが円弧状の突部２７によって、リブ１３はいずれか一方のガイド斜面２６に必ず案内される。
【００３９】
このようにして仮組み付けされたクリップ１００は、例えば板部材同士を結合する場合、仮組み付け状態で各板部材の取付孔へ挿入される。そして、ピン１０の押操作（圧入）によってスリット２４が拡開することに伴って、脚部２２が鍔部２３に向けて湾曲変形する。また、この時、脚部２２の爪部２５とピン１０の溝部１４とが係合して、ピン１０はグロメット２０に固定（本止め）される。これにより、クリップ１００は、鍔部２３と脚部２２の変形部分との間で、板部材同士を締結ないし挟持する。
【００４０】
その後、このような板部材同士の締結ないし挟持を解除するためには、ピン１０がグロメット２０に対して更に押操作（圧入）される。これにより、脚部２２の爪部２５が、ピン１０の溝部１４から外れてピン１０の凹部１５内へと移動し、これに伴って、スリット２４が拡開状態から元の状態に戻り、すなわち、脚部２２の変形が元に戻る。この時、突部２７の先端２７ａは、ピン１０の頭部１１のフランジ１１ｆに当接し、ピン１０の過剰な押操作（圧入）に対するストッパとして機能する。
【００４１】
以上のように、本実施の形態によれば、脚部２２の内周面に、スリット２４の周方向両側に連続して、リブ１３を当該スリット２４に案内するためのガイド斜面２６が形成されているため、各別に製造されたピン１０及びグロメット２０の仮組み付けの際にスリット２４に対してリブ１３がズレて挿入された場合であっても、前記ガイド斜面２６によって、当該リブ１３をスリット２４（正規位置）まで確実に案内することができる。
【００４２】
また、本実施の形態によれば、グロメット２０は、挿入孔２１の入口側孔縁部２１ａであって周方向に隣接するスリット２４同士の間の領域に、当該スリット２４に向かって傾斜する導入側斜面２８を有するので、ピン１０の挿入時にスリット２４に対してリブ１３がズレて挿入された場合でも、導入側斜面２８の誘い込み作用によって、広い範囲にわたって、当該リブ１３をスリット２４（正規位置）まで確実かつスムーズに案内することができる。
【００４３】
更に、本実施の形態によれば、隣接するガイド斜面２６同士が、先端２７ａが円弧状である突部２７を形成していることにより、スリット２４に対してリブ１３がズレて挿入された場合であっても、突部２７を形成する隣接するガイド斜面２６のいずれか一方によって必ずリブ１３が案内されるため、リブ１３をスリット２４（正規位置）までより円滑に確実に案内することができる。
【００４４】
また、ガイド斜面２６の下端は、スリット２４の上端２４ａよりも下方に位置するため、リブ１３がスリット２４の上端２４ａに嵌合しない場合でも、リブ１３をスリット２４（正規位置）まで確実に案内することができる。
【符号の説明】
【００４５】
１０  ピン
１１  頭部
１２  軸部
１３  リブ
１４  溝部
１５  凹部
２０  グロメット
２１  挿入孔
２１ａ  入口側孔縁部
２２  脚部
２３  鍔部
２４  スリット
２４ａ  スリットの上端
２５  爪部
２６  ガイド斜面
２７  突部
２７ａ  突部の先端（上端）
２８  導入側斜面
１００  クリップ
【図１】
0006342256.tif 000002
【図２】
0006342256.tif 000003
【図３】
0006342256.tif 000004
【図４】
0006342256.tif 000005
【図５】
0006342256.tif 000006
【図６】
0006342256.tif 000007
【図７】
0006342256.tif 000008
【図８】
0006342256.tif 000009
【図９】
0006342256.tif 000010